(57)【要約】【課題】記録媒体に記録されたタイトルが表示された状態で、任意のタイトルの表示を強調することが出来る強調表示手段を持ち、記録媒体に記録されたタイトルを任意の順序で表示できる機能を有する記録媒体再生装置を提供する。【解決手段】ＣＤプレーヤーはＣＤ再生メカニズム１と表示装置２とマイコン３とキー入力装置４とメモリー５とから構成されている。表示装置２は、ＬＣＤ等の表示部と該表示部を駆動制御する表示制御部からなっている。表示制御部はタイトルの通常の表示機能とタイトルの強調表示機能を備え、マイコン３からの表示命令に応じていずれかの機能による表示制御を行う。【選択図】  図１
2004362632.tif 000002
【特許請求の範囲】
【請求項１】
記録媒体に記録されている情報をその記録順に従って再生してゆく通常再生機能と、記録媒体に記録されている情報のうち選択された情報をくり返し再生するリピート再生機能と、記録媒体に記録されている情報をランダムに再生していくランダム再生機能とを有し、これらの機能のいずれかによって、記録媒体に記録された情報を再生する再生手段と、
前記再生されるべき情報のタイトルを表示する表示手段と、
を備える記録媒体再生装置において、
前記再生手段が前記通常再生機能により通常再生するときは、前記表示手段に、前記記録媒体に記録された全ての情報のタイトルを記録順に表示し、かつ現在再生されている情報のタイトルを強調表示し、
前記再生手段が前記リピート再生機能によりリピート再生するときは、前記表示手段に、選択されている情報のタイトルのみを表示し、かつ現在選択されている情報のタイトルを強調表示し、
前記再生手段が前記ランダム再生機能によりランダム再生するときは、前記表示手段に、前記記録媒体に記録されている全ての情報をランダムに表示し、かつ現在選択されている情報のタイトルを強調表示する、強調表示手段を前記表示手段に備えることを特徴とする記録媒体再生装置。
【請求項２】
請求項１で記載した記録媒体再生装置において、前記表示手段は再生が終了したタイトルも表示することを特徴とする記録媒体再生装置。
【請求項３】
請求項１で記載した記録媒体再生装置において、情報のタイトルと共に、記録媒体に付加されている情報のトラック番号をも表示することを特徴とする記録媒体再生装置。
【発明の詳細な説明】
【０００１】
【発明の属する技術分野】
この発明は、記録媒体に記録された音楽情報を再生すると共に、同じく記録されているタイトル等の情報を表示する記録媒体再生装置に関するものである。
【０００２】
【従来の技術】
音楽を聞くための記録媒体再生装置としては、ＣＤやＭＤ，半導体オーディオプレーヤ等がある。これらは、再生中であれば、再生中の音楽情報のタイトルを表示パネルに表示する。リピート再生中であれば、リピート再生中の音楽情報タイトルとリピート再生中である事を示す表マークとを表示する。ランダム再生中であれば、ランダム再生中の音楽情報タイトルとランダム再生中である事を示す表示マークとを表示する。
【０００３】
再生中の音楽のタイトル以外にも他の複数の音楽情報タイトルを表示できる記憶媒体再生装置の場合、現在表示されている複数のタイトルのうち現在再生中である音楽情報タイトルに矢印などのマークを用いて表示している。また、リピート再生中やランダム再生中であれば、  別のマークを用いて表示している。
【０００４】
図２３は、タイトルを１０曲表示できる記録媒体再生装置の表示部分で、６曲の情報が入っており、現在２曲目を再生中で、「リピート設定」されている状態を示す。このように各種の情報を音楽再生中に表示する装置が複数提案されている。
【０００５】
（例えば特許文献１，２参照）
【０００６】
【特許文献１】
特開平５−１２８８２６号公報
【０００７】
【特許文献２】
特開平１０−４０６６８号公報
【０００８】
【発明が解決しようとする課題】
ところが、従来の装置では、  次に示す各課題がある。
【０００９】
・複数のタイトルの中で  再生している曲のタイトルを知らせるためには別に専用のマークを設ける必要がある。
【００１０】
・現在「リピート再生設定中」や「  ランダム再生設定中」であることを知らせるためには、別のマークを設ける必要がある。
【００１１】
・現在「リピート再生設定中」や「  ランダム再生設定中」であることを知らせるために、別に設けられたマークは別エリアにあり、見落としやすい。
【００１２】
・現在「ランダム再生設定中」であるとき、次に再生されるタイトルは不明である。
【００１３】
この発明の目的は、上記の課題を解決するために、記録媒体に記録されたタイトルが表示された状態で、  任意のタイトルの表示を強調することができる強調表示手段を持ち、記録媒体に記録されたタイトルを任意の順序で表示できる機能を有する記録媒体再生装置を提供することにある。
【００１４】
【課題を解決するための手段】
この発明は、記録媒体に記録されている情報をその記録順に従って再生してゆく通常再生機能と、記録媒体に記録されている情報のうち選択された情報をくり返し再生するリピート再生機能と、記録媒体に記録されている情報をランダムに再生していくランダム再生機能とを有し、これらの機能のいずれかによって、記録媒体に記録された情報を再生する再生手段と、
前記再生されるべき情報のタイトルを表示する表示手段と、
を備える記録媒体再生装置において、
前記再生手段が前記通常再生機能により通常再生するときは、前記表示手段に、前記記録媒体に記録された全ての情報のタイトルを記録順に表示し、かつ現在再生されている情報のタイトルを強調表示し、
前記再生手段が前記リピート再生機能によりリピート再生するときは、前記表示手段に、選択されている情報のタイトルのみを表示し、かつ現在選択されている情報のタイトルを強調表示し、
前記再生手段が前記ランダム再生機能によりランダム再生するときは、前記表示手段に、前記記録媒体に記録されている全ての情報をランダムに表示し、かつ現在選択されている情報のタイトルを強調表示する、強調表示手段を前記表示手段に備えることを特徴としている。
【００１５】
この構成では、選択されている情報のタイトルが見やすくマーク等の表示がいらない。
【００１６】
この発明は、請求項１で記載した記録媒体再生装置において、前記表示手段は再生が終了したタイトルも表示することを特徴としている。
【００１７】
この構成では、今現在再生している曲のタイトル確認、及び既に再生を終了した曲のタイトルの確認、既に再生を終了したタイトルの再度の再生が容易に行える。
【００１８】
この発明は、請求項１で記載した記録媒体再生装置において、情報のタイトルと共に、記録媒体に付加されている情報のトラック番号をも表示することを特徴としている。
【００１９】
この構成では、更に詳しいトラック情報を表示することができる。
【００２０】
【発明の実施の形態】
以下に、本発明の実施形態に係る記憶媒体再生装置における再生リスト表示について図面を参照しつつ詳細に説明する。
【００２１】
【実施例１】
図１は、本発明の実施例１に係るＣＤプレーヤーの構成概略図である。このＣＤプレーヤーはＣＤ再生メカニズム１と表示装置２とマイコン３とキー入力装置４とメモリー５とから構成されている。
【００２２】
ＣＤ再生メカニズム１は、ＣＤ内のタイトル情報を取り出しマイコン３に転送する事が出来、通常再生機能とリピート再生機能とランダム再生機能とを備えている。そして、レーザーを使って光ピックアップでＣＤの記録面にデータを照射して、その反射光を受光して、データを読み取ることが出来る。
【００２３】
前記通常再生機能は、通常のＣＤの曲順にデータを読み取って再生する機能である。前記リピート再生機能は、決められた曲の範囲の部分だけくり返しデータを読み出して再生する機能である。前記ランダム再生機能は、ランダムに選ばれた曲順に応じて光ピックアップを移動させながらデータを読み出して再生する機能である。
【００２４】
表示装置２は、ＬＣＤ等の表示部と該表示部を駆動制御する表示制御部からなっている。表示制御部はタイトルの通常の表示機能とタイトルの強調表示機能を備え、後述するマイコン３からの表示命令に応じていずれかの機能による表示制御を行う。
【００２５】
マイコン３は、装置全体の各部分を制御する。
【００２６】
キー入力装置４は、ユーザーからの指示をマイコン３に伝える。
【００２７】
メモリー５は、ＣＤ再生メカニズム１からマイコン３に転送されたタイトル情報を記憶したり、その他の情報を記憶する。
【００２８】
次に制御動作について説明する。ここでは、タイトルを１０曲分表示できるＣＤプレーヤーに６曲入りのＣＤをセットしたときの実施例を示す。
【００２９】
図２は通常再生機能の動作を示すフローチャートである。なお、以下の説明では、  ３曲目を再生選択した場合について示す。
【００３０】
まず、ＣＤ再生メカニズム１からＣＤの曲数とタイトルを読み込みメモリー５に格納する（ＳＴ１）。そして、一曲目から順番にメモリー５より読出し、表示装置２にタイトルを通常表示する（ＳＴ２）。この状態を図３に示す。この場合、上からタイトルＡ，Ｂ，Ｃ，Ｄ，Ｅ，Ｆの順に表示され、６曲全て強調表示されていない。次に再生中であるか判別する（ＳＴ３）。再生中でなければ、そのまま表示状態を維持する。ユーザによりいずれかの曲が選択され、その曲が再生中であれば、その再生中の曲の曲番号のタイトルのみ強調表示する（ＳＴ４）。これを図４に示す。図４に示す例では、３曲目”タイトルＣ”のみが強調表示されている。
【００３１】
図５は、リピート設定状態の動作を示すフローチャートである。このリピート設定状態は、上記通常再生機能の実行中に設定可能であり、上述のリピート再生機能により実行される。なお、以下の説明では、３曲目を１曲リピート設定状態として選択した場合について示す。
【００３２】
まず、  １曲リピート設定状態であるか判別する（ＳＴ１０）。  １曲リピート設定状態であれば、再生中であるか判別する（ＳＴ１１）。再生中でなければ、  １曲リピート曲のタイトルをメモリー５から読出し、表示位置に通常表示する（ＳＴ１２）。この状態を図６に示す。また、再生中であれば、  １曲リピート曲のタイトルをメモリー５から読出し、表示装置に強調表示する（ＳＴ１３）。この状態を図７に示す。この場合、３曲目”  タイトルＣ”のみの表示で、更に再生中であるので強調表示になっている。残りの５曲の表示は消える。この場合、再生を停止すると強調表示が通常の表示に戻るが、「一曲リピート設定状態」は解除されていないので”  タイトルＣ”のみの表示は変わらない。
【００３３】
また（ＳＴ１０）で、  １曲リピート設定状態でない場合は全曲リピート設定状態であるとして再生中であるかどうかを判別する（ＳＴ１４）。全曲リピート設定状態は、１曲リピート設定状態の解除と  ３曲目の選曲の解除を行って図３の状態に戻してから設定され、上述のリピート再生機能  （図１参照）により実行される。ここで、再生中でない場合  １曲目から順番にタイトルをメモリー５から読出し、表示装置２に通常表示する（ＳＴ１５）。通常表示は、１０段表示で行われるが（ＳＴ１６）、６曲目の次以降に再生されるタイトルが６曲目の次の段以降に表示されている  （図８）。図８では、６曲入りのディスクを「全曲リピート設定状態」にしているので  ７番目に再生されるのは６曲入りディスクの  １曲目である”  タイトルＡ”であることを示している。
【００３４】
また、  上記（ＳＴ１４）で再生中である場合、再生中の曲から曲順にメモリー５からタイトルを読出し、１０段になるまで表示装置２に通常表示する（ＳＴ１７）とともに、再生中の曲番号のタイトルのみ強調表示に変える（ＳＴ１９）。この状態を図９に示す。この場合、再生の終わった曲が消えて現在再生している”  タイトルＣ”が一番上段に表示される。現在「全曲リピート設定」状態なので、表示エリアの９段目と１０段目に新たに”  タイトルＥ”と”  タイトルＦ”が現れている。
【００３５】
図１０はランダム再生設定状態の動作を示すフローチャートである。
【００３６】
ランダム設定状態は再生を停止させて、１曲リピート設定状態や全曲リピート設定状態等の解除を行って図３の状態に戻してから設定され、上述のランダム再生機能  （図１参照）により実行される。
【００３７】
まず、ランダム選曲し選曲した順序をタイトルと共にメモリー５に記憶する（ＳＴ２０）。次に、再生中かどうかを判別する（ＳＴ２１）。再生中でなければ、ランダム選曲した  １曲目からランダム選曲順にメモリー５から１０曲分のタイトルを読出し、表示装置に通常表示する（ＳＴ２２）。この状態を図１１に示す。また、再生中であれば、再生中の曲以降の曲のタイトルをランダム選曲順にメモリー５から１０曲分読出し、表示装置２に通常表示する（ＳＴ２３）。そして、再生中のタイトルのみ強調表示に変える（ＳＴ２４）。この状態を図１２に示す。この場合、最初「ランダム設定状態」にした時に１段目と２段目に表示されていた”  タイトルＥ”と”  タイトルＤ”は再生が終了したので表示エリアから消え、３段目に表示されていた”  タイトルＣ”が１段目に表示され、以後２段ずつ上の段に移動し再表示される。１段目に移った”  タイトルＣ”は強調表示され現在再生中である事を示している。更に９段目と１０段目にそれぞれ”タイトルＢ  ”と”  タイトルＦ”が新たに表示エリアに加わっている。
【００３８】
これにより、現在再生している曲のタイトル確認、及び「  ランダム再生設定」「リピート再生設定」などの再生モードの確認が容易になる。
【００３９】
【実施例２】
図１３は、本発明の実施例２に係るＣＤプレーヤーを内臓したパソコンの主要部を示す構成概略図である。このＣＤプレーヤーを内臓したパソコンの主要部は、ＣＤ再生メカニズム１１と、表示装置１２、とＣＰＵ１３、とマウス、キーボードから成る入力部１４と、ハードディスク、メモリーから成る記憶部１５とから構成されている。
【００４０】
ＣＤ再生メカニズム１１は、ＣＤのタイトルと曲番情報をＣＤから取り出すことが出来、通常再生機能とリピート再生機能とランダム再生機能とを備えている。そして、レーザーを使って光ピックアップでＣＤの記録面にデータを照射して、その反射光を受光して、データを読み取ることが出来る。
【００４１】
前記通常再生機能は、通常のＣＤの曲順にデータを読み取って再生する機能である。前記リピート再生機能は、決められた曲の範囲の部分だけくり返しデータを読み出して再生する機能である。前記ランダム再生機能は、ランダムに選ばれた曲順に応じて光ピックアップを移動させながらデータを読み出して再生する機能である。
【００４２】
表示装置１２は、ＬＣＤ等の表示部と該表示部を駆動制御する表示制御部からなっている。表示制御部はタイトルとトラック番号の通常の表示機能とタイトルとトラック番号の強調表示機能とを備え、後述するＣＰＵ１３からの表示命令に応じていずれかの機能による表示制御を行う。
【００４３】
ＣＰＵ１３は、装置全体の各部分を制御する。
【００４４】
マウス、キーボードからなる入力部１４はユーザーからの指示をＣＰＵ１３に伝える。
【００４５】
ハードディスク、メモリーからなる記憶部１５は、ＣＤ再生メカニズム１１からＣＰＵ１３に転送されたタイトル情報を記憶したり、その他の情報を記憶する。
【００４６】
次に制御動作について説明する。ここでは記録媒体再生装置としてパソコンに内蔵されたＣＤプレーヤーに、６曲入りのＣＤがセットされたときの実施例を示す。表示は、パソコンの画面上にタイトルとトラック番号  （以下曲番）を同時に１０曲分表示できるアプリケーションソフトが行う。
【００４７】
図１４は通常再生機能の動作を示すフローチャートである。図１５はリピート設定状態の動作を示すフローチャートである。図１６はランダム再生設定状態の動作を示すフローチャートである。
【００４８】
本実施例２が実施例１と相違する点は、表示装置１２に、実施例１に示した”タイトルＡ”に代えて、”Ｔｒ−１：タイトルＡ”と表示し、”タイトルＢ”に代えて、”Ｔｒ−２：タイトルＢ”と表示する等、トラック番号とタイトルとを同時に表示することにある。
例えば、図１７はＣＤに記憶されている各曲とトラック番号を表示し、再生中でない場合を示した例である。
【００４９】
その他の点については、同一であるため説明を省略する。
【００５０】
【実施例３】
実施例３は、  上記実施例２において、ランダム再生の終わったトラックの表示を過去数曲分残すことができる例を示す。ブロック図は実施例２と同じである  （図１３）。
【００５１】
図１８はランダム再生設定状態の動作を示すフローチャートである。
【００５２】
ランダム設定状態は再生を停止させ、リピート設定状態等の解除を行って図１７の状態に戻してから設定される。
【００５３】
まず、ランダム選曲し選曲した順序をタイトルと曲番と共にメモリーに記憶する（ＳＴ６０）。次に、再生中であるかどうかを判別する（ＳＴ６１）。再生中でなければランダム選曲した  １曲目からランダム選曲順にメモリー２０から１０曲分のタイトルと曲番を読出し、表示装置１７に通常表示する（ＳＴ６２）。この状態を図１９に示す。もし、再生中であれば、今再生中曲のランダム選曲の順序ー２の数値（レジスタｎｕｍに設定）を判別する（ＳＴ６３）。そして、この数値が１より小さいかどうか判別する（ＳＴ６４）。小さくなければランダム選曲順にその数値の曲番から順に１０曲分タイトルと曲番をメモリ２０から呼び出し、表示装置１７に通常表示する（ＳＴ６５）。もし、この数値が１より小さければ、この数値を１として（ＳＴ６６）ランダム選曲順に最初の１曲目から１０曲分のタイトルと曲番をメモリ２０から読出し、表示装置１７に通常表示する（ＳＴ６５）。そして、現在再生している曲のタイトルと曲番のみ強調表示に変える（ＳＴ６７）。この状態を図２０、図２１に示す。図２１は「  ランダム設定状態」にして再生を開始し、  ３曲目まで再生が進んだ表示状態を示している。３段目に表示してある”Ｔｒ−３：タイトルＣ”が強調表示され現在再生中である事を示している。  １段目の”Ｔｒ−５：タイトルＥ”と”Ｔｒ−４：タイトルＤ”は強調表示ではなく、通常表示であるので再生が終了していることを示す。更に再生が進み４曲目の再生が始まると、１段目の”Ｔｒ−５：タイトルＥ”が表示から消えて、残りのタイトルが１段ずつ上の段にずれて表示され、図２０の様に新たに”Ｔｒ−２：タイトルＢ”が１０段目に表示される。現在再生中の曲は  ３段目の”Ｔｒ−２：タイトルＢ”が強調表示されているので判別できる。
【００５４】
これにより、今現在再生している曲のタイトル確認、及び既に再生を終了した過去の２曲のタイトルの確認が行え、また既に再生を終了したタイトルの再度の再生も、選曲位置を上方に移動させることで容易に行える。
【００５５】
【実施例４】
この実施例４では、記録媒体再生装置として、携帯電話の例を説明する。
【００５６】
図２２は携帯電話の音響再生に関する主要部の構成を示すブロック図である。データ処理部２１はアンテナが受信した通信信号を所定の音声データと曲名等の付属情報とに変換して、記憶部に記憶させる。また、マイコン２３から再生操作が入力されると、記憶部に記憶されている音声データを再生するとともに曲名を読み出す。このデータ処理部は、上述の実施形態に示したような「  通常再生機能」、「リピート再生機能」、「ランダム再生機能」を有する。
【００５７】
表示部２２は、ＬＣＤ等の表示部と該表示部を駆動制御する表示制御部からなっている。表示制御部はタイトルの通常の表示機能とタイトルの強調表示機能を備え、後述するマイコン２３からの表示命令に応じていずれかの機能による表示制御を行う。
【００５８】
マイコン２３は、装置全体の各部分を制御する。
【００５９】
操作部２４は、ユーザーからの指示をマイコン２３に伝える。
【００６０】
メモリー２５は、データ処理部２１からマイコン２３に転送されたタイトル情報を記憶したり、その他の情報を記憶する。
【００６１】
以上の構成で、  所定の操作をすることにより、アンテナから所望の曲をダウンロードしてデータ処理して記憶部に記憶する。そして、再生操作を行うと、上述の実施例１等に示したような方法で記憶した曲を再生すると共に表示部２２に表示できる。
【００６２】
特に、  電波受信状態を表示するマークや電話とメールの着信を知らせるマークなど、携帯電話本来の機能に対するマークや記号は常に表示しておく必要がある一方、表示面積が小さいために使用できる表示エリアは限られてくる。本実施例によれば、「  リピート再生設定中」や「ランダム再生設定中」、及び現在選曲しているトラックを指し示すマークが不要であり、マークを表示するためのエリアが必要ないため、限られた表示エリアを有効に使えるようになる。
なお、本実施形態では、強調表示する文字のフォントを、他の表示フォントより太くしているが、下記のように強調表示しても良い。
【００６３】
１）文字の色を変える。
【００６４】
２）文字のフォントの種類を変える。
【００６５】
３）文字の大きさを変える。
【００６６】
４）文字を枠線で囲む。
【００６７】
５）白抜き文字にする。
【００６８】
【００６９】
【発明の効果】
この発明によれば、記録媒体再生中に、選択されている情報のタイトルが見やすくマーク等の表示がいらない。また、今現在再生している曲のタイトル確認、及び既に再生を終了した曲のタイトルの再度の再生が容易に行なえる。更に、詳しいトラック情報を表示することができる。
【図面の簡単な説明】
【図１】実施例１のＣＤプレーヤーのブロック図
【図２】実施例１における通常再生時の表示を行うフローチャート
【図３】６曲入りのディスクで何も選曲していない状態を表すタイトル表示部分
【図４】図３の状態から３曲目を再生している状態を表すタイトル表示部分
【図５】実施例１におけるリピート再生時の表示を行なうフローチャート
【図６】図７の状態から再生を停止させた状態を表すタイトル表示部分
【図７】３曲目を「１曲リピート再生設定」にして再生している状態を表すタイトル表示部分
【図８】「全曲リピート再生設定」にした状態を表すタイトル表示部分
【図９】図８の状態から、３曲目まで再生が進んだ状態を表すタイトル表示部分
【図１０】実施例１におけるランダム再生時の表示を行なうフローチャート
【図１１】「  ランダム再生設定」  状態を表すタイトル表示部分
【図１２】図１１の状態から３曲目まで再生が進んだ状態を表すタイトル表示部分
【図１３】実施例２のＣＤプレーヤーを内蔵したパソコンのＣＤプレーヤーのブロック図
【図１４】実施例２における通常再生時の表示を行なうフローチャート
【図１５】実施例２におけるリピート再生時の表示を行なうフローチャート
【図１６】実施例２におけるランダム再生時の表示を行なうフローチャート
【図１７】６曲入りのディスクで何も選曲していない状態を表すタイトル表示部分
【図１８】実施例３におけるランダム再生時の表示を行なうフローチャート
【図１９】「ランダム再生設定」状態を表すタイトル表示部分
【図２０】図２１の状態から更に次の曲へ再生が進んだ状態を表すタイトル表示部
【図２１】「ランダム再生設定」で３曲目まで再生が進んだ状態を表すタイトル表示部分
【図２２】実施例の携帯電話の音響再生に関する主要部の構成を示すブロック図
【図２３】従来技術を説明するための図
【図１】
2004362632.tif 000003
【図２】
2004362632.tif 000004
【図３】
2004362632.tif 000005
【図４】
2004362632.tif 000006
【図５】
2004362632.tif 000007
【図６】
2004362632.tif 000008
【図７】
2004362632.tif 000009
【図８】
2004362632.tif 000010
【図９】
2004362632.tif 000011
【図１０】
2004362632.tif 000012
【図１１】
2004362632.tif 000013
【図１２】
2004362632.tif 000014
【図１３】
2004362632.tif 000015
【図１４】
2004362632.tif 000016
【図１５】
2004362632.tif 000017
【図１６】
2004362632.tif 000018
【図１７】
2004362632.tif 000019
【図１８】
2004362632.tif 000020
【図１９】
2004362632.tif 000021
【図２０】
2004362632.tif 000022
【図２１】
2004362632.tif 000023
【図２２】
2004362632.tif 000024
【図２３】
2004362632.tif 000025